(57)【要約】【課題】  電子装置に接続されたカードからの応答が無い場合に、そのカードが無応答カードであるか否かを容易に識別できるようにする。【解決手段】ＳＤカードスロットに接続される無応答カードの種別を予め登録して（Ｓ１０１）使用のフラグを立てておき（Ｓ１０２）、ＳＤカードスロットに接続された無応答カードに対してＳＤホストからコマンドを送信する（Ｓ１０６）。カードからの応答がなかった場合（Ｓ１０７のＮ）は、無応答カード使用のフラグが立っているかを検査し（Ｓ１１０）、フラグが立っている場合は（Ｓ１１０のＹ）、登録されている無応答カードの種別を、ＳＤカードスロットに接続されている無応答カードの種別と判定する。【選択図】        図７
2015060266.tif 000002
【特許請求の範囲】
【請求項１】
外部装置を接続可能な接続部を備える電子装置であって、
前記接続部に接続される外部装置が無応答装置であることを登録する登録手段と、
前記接続部に外部装置が接続されたことを検出する検出手段と、
前記検出手段が外部装置の接続を検出した場合に、該外部装置に対して電力を供給すると共に所定のコマンドを送信する送信手段と、
前記送信手段が送信したコマンドに対する応答を検出した場合に、前記接続された外部装置に対して、所定の規格に適合した信号出力を行う第１の出力手段と、
前記送信手段が送信したコマンドに対する応答を検出せず、かつ前記登録手段が無応答装置であることを登録していた場合は、前記接続された外部装置に対して、該無応答装置に適合した信号出力を行う第２の出力手段とを備えることを特徴とする電子装置。
【請求項２】
請求項１に記載の電子装置であって、
前記送信手段が送信したコマンドに対する応答を検出せず、かつ前記登録手段が無応答装置であることを登録していなかった場合は、前記接続された外部装置に対する電力供給を停止する停止手段を備えることを特徴とする電子装置。
【請求項３】
請求項１又は２に記載の電子装置であって、
前記登録手段は、前記接続部に接続される無応答装置の種別を登録可能であり、
前記第２の出力手段は、前記送信手段が送信したコマンドに対する応答を検出せず、かつ、前記登録手段が無応答装置であることを登録していた場合には、前記接続された外部装置に対して、前記登録手段が登録していた種別の無応答装置に適合した信号出力を行うことを特徴とする電子装置。
【請求項４】
請求項１乃至３のいずれか一項に記載の電子装置であって、
前記送信手段は、前記接続部に接続された外部装置に対し、前記所定のコマンドに対して応答を返す外部装置及び前記無応答装置のいずれをも動作させることのできる電力を供給することを特徴とする電子装置。
【請求項５】
請求項４に記載の電子装置であって、
前記送信手段は、前記接続部に接続された外部装置に対し、電力に加え、前記所定のコマンドに対して応答を返す外部装置及び前記無応答装置のいずれをも動作させることのできる動作クロックを供給することを特徴とする電子装置。
【請求項６】
請求項１乃至５のいずれか一項に記載の電子装置であって、
前記接続部はＳＤカードスロットであり、
前記所定の規格はＳＤカードであることを特徴とする電子装置。
【発明の詳細な説明】
【技術分野】
【０００１】
本発明は、メモリカード等の外部装置が接続可能な接続部を備える電子装置に関する。
【背景技術】
【０００２】
従来より、マルチメディアカードはそのコンパクト性により、電子機器に広く使用されている。
特に、ＳＤ（Secure  Digital）カード（例えばＳＤメモリカード）は、音楽配信などに関係する著作権保護機能を高めたカードとして注目され、パーソナルコンピュータや情報携帯端末、デジタルカメラなどに広く使用されるようになってきている。
【０００３】
ＳＤカードスロットは広く電子機器に装備されているため、様々な用途で利用される。
例えば、ＳＤカードとＭＭＣカード（Multi  Media  Card）は互換性が高く、共通のカードスロットで両方のカードを取り扱えるという利点がある。
そのためＳＤカードスロットでカードを検出した場合、検出したカードの種類を正確に判別し、適切なデータ通信方法の選択や、電源やクロックの供給を精密に制御する必要がある。
【０００４】
ＳＤカードスロットでのカード検出では、ＳＤホストからカードに所定のコマンドを送信し、その応答信号の内容によって識別する手法が一般的である。
下記特許文献１には、複数タイプのカードを装着可能なカードスロットを備えた電子機器において、装着されたカードのタイプを正確に判別することを目的として、カードスロットに装着されるカードに対し、所定のコマンドを送り、そのコマンドに対する応答の有無によってカードの種類を識別する発明が開示されている。
【発明の概要】
【発明が解決しようとする課題】
【０００５】
しかしながら、特許文献１の発明は、所定のコマンドに対して応答した場合は、その応答の内容によって正確なカードの種類の識別は可能になるが、応答しない場合は正確なカードの種類の識別ができないという問題がある。
また、故障したＳＤカードが応答を返さない場合もあり、もともとコマンドに対して無応答の仕様であるカード(以下「無応答カード」という。）との区別が出来ないという問題もある。
【０００６】
特に、故障したＳＤカードを無応答カードであると判別した場合、故障したＳＤカードに対して無応答カード向けの電源・クロック供給を行ってしまうと、ＳＤカードの機能を利用出来ないにもかかわらず消費電力が増加してしまうという問題がある。
このことは、ＳＤカードスロットに接続される無応答カードに限らず、電子装置の接続部に接続され得る外部装置に、電子装置から送信される信号に対して応答するものと、応答しないもの（以下「無応答装置」という。）とが混在する場合においても起こり得る問題である。
【０００７】
本発明は、上記のような事情に鑑み為されたものであり、電子装置に接続された外部装置からの応答が無い場合に、その外部装置が無応答装置であるか否かを容易に識別できるようにすることを目的とする。
【課題を解決するための手段】
【０００８】
上記目的を達成するために、本発明に係る電子装置は、外部装置を接続可能な接続部を備える電子装置であって、上記接続部に接続される外部装置が無応答装置であることを登録する登録手段と、上記接続部に外部装置が接続されたことを検出する検出手段と、上記検出手段が外部装置の接続を検出した場合に、上記外部装置に対して電力を供給すると共に所定のコマンドを送信する送信手段と、上記送信手段が送信したコマンドに対する応答を検出した場合に、上記接続された外部装置に対して、所定の規格に適合した信号出力を行う第１の出力手段と、上記送信手段が送信したコマンドに対する応答を検出せず、かつ上記登録手段が無応答装置であることを登録していた場合は、上記接続された外部装置に対して、上記無応答装置に適合した信号出力を行う第２の出力手段とを備えることを特徴とする。
【発明の効果】
【０００９】
上記構成によれば、電子装置に接続された外部装置からの応答が無い場合にも、その外部装置が無応答装置であるか否かを容易に識別できるようになる。
【図面の簡単な説明】
【００１０】
【図１】本発明の電子装置の実施形態であるＳＤカードスロットを備えた電子装置と、ＳＤカードスロットに装着可能なカード（ＳＤカード、無応答カード）の関係を示す図である。
【図２】ＳＤインタフェースについて説明するための図である。
【図３】ＳＤホストのハードウェア構成を示す図である。
【図４】ＳＤカード及び無応答カードの基本的な動作を説明するための図である。
【図５】ＳＤホストの機能構成を示すブロック図である。
【図６】ＳＤホストにおいて、ユーザが使用する無応答カードの種別を登録するための選択画面の例を示すものである。
【図７】ＳＤカードスロットにカードが装着された場合に、ＳＤホストのＣＰＵが実行する処理のフローチャートである。
【発明を実施するための形態】
【００１１】
以下、この発明を実施するための形態について、図面を参照しつつ具体的に説明する。
図１は、本発明の電子装置の実施形態であるＳＤカードスロット（接続部の実施形態）１１を備えた電子装置１０と、ＳＤカードスロット１１に装着（接続）可能なカード（ＳＤカード１２、無応答カード１３）の関係を示す図である。
この電子装置１０は、既存のＳＤ(Secure  Digital)カード（ＳＤメモリカード，ＳＤＩＯ（Secure  Digital  Input/Output  Card）カード）１２のほか、ＳＤコマンドに対して応答を返さない仕様のＳＤＩＯカード（無応答カード１３）も使用可能なＳＤカードスロット１１を有する。
【００１２】
電子装置１０は、パーソナルコンピュータやＰＤＡ（Personal  Digital  Assistant）、音楽プレーヤ、携帯電話、スマートフォンなどに相当するものである。この電子装置１０は、上記カード１２〜１３のいずれをも装着可能なカードスロット１１を備え、これらのカード１２〜１３のホスト機器として動作するものである。
すなわち、電子装置１０は、ＳＤカード１２や無応答カード１３を制御可能なＳＤホスト１４としての機能を備えた装置である。
【００１３】
ＳＤホスト１４は、カードスロット１１に装着されるカードとの通信を、ＳＤインタフェース（ＳＤ  Ｉ／Ｆ）１５に基づいて行なう。
図２は、ＳＤホスト１４と、ＳＤカードスロット１１に装着されたカード１２、１３を繋ぐＳＤインタフェース１５について説明するための図である。以下、図２に基づいて、ＳＤインタフェース１５について説明する。
【００１４】
このＳＤインタフェース１５は、図２に示すように、ＳＤカード１２や無応答カード１３の仕様（プロトコル）に準拠する電源用信号線（ＶＣＣ）、クロック用信号線（ＣＬＫ）、コマンド用信号線（ＣＭＤ）、その他データ用信号線（ＤＡＴ）などを採用するものである。
図２において、電源用信号線（ＶＣＣ）は、ＳＤホスト１４からカード１２、１３へ電力を供給するための信号線である。
【００１５】
また、クロック用信号線（ＣＬＫ）は、ＳＤホスト１４からカード１２、１３へ動作クロックを供給するための信号線である。
コマンド用信号線（ＣＭＤ）は、ＳＤホスト１４からカード１２、１３へコマンドを送ると共に、その応答をＳＤホスト１４へ返すための双方向の信号線である。
データ用信号線（ＤＡＴ）はＳＤホスト１４とカード１２、１３との間でデータ転送を行なうための双方向の信号線である。
【００１６】
ＳＤカードスロット１１に何らかのカード１２、１３が装着された時、ＳＤホスト１４はそれを検出して、カード１２、１３に対してＶＣＣから電力を供給する。
次に、基本クロックをＣＬＫを用いて供給し、装着されたカード１２、１３を動作可能な状態にする。次にＣＭＤを用いてコマンドを送信し、カードからの応答の有無によってＳＤカード１２であるか無応答カード１３であるかを判別する。
【００１７】
次に、ＳＤホスト１４のハードウェア構成について説明する。図３は、ＳＤホスト１４のハードウェア構成を示す図である。ＳＤホスト１４は、ハードウェアとしては公知のパーソナルコンピュータを適宜採用できる。例えば、図３に示すように、ＣＰＵ１４１、ＲＯＭ１４２，ＲＡＭ１４３、通信Ｉ／Ｆ１４４、ＨＤＤ（ハードディスクドライブ）１４５、ＵＩ部１４６をシステムバス１４７により接続した構成とすることができる。
【００１８】
そして、ＣＰＵ１４１がＲＡＭ１４３をワークエリアとしてＲＯＭ１４２あるいはＨＤＤ１４５に記憶されたプログラムを実行することにより、ＳＤホスト１４全体の動作を制御し、後述の種々の機能を実現する。
ＨＤＤ１４５は、基本ソフトウェアであるＯＳ（Operating  System）、アプリケーションソフトウェア、所定の制御プログラム等のデータを保持するデバイスである。
【００１９】
通信Ｉ／Ｆ１４４は、外部装置とのデータの送受信や、電力、クロックの供給等を行うためのデバイスである、ＳＤカードスロット１１に対するインタフェースであり、例えば、ＵＳＢ（Universal  Serial  Bus）インタフェース等を採用できる。例えば、ＵＳＢインタフェースを採用したＳＤカードスロット１１を接続することにより、通信Ｉ／Ｆ１４４はＳＤインタフェース１５としての機能を実現する。
【００２０】
ＵＩ部１４６は、ユーザの操作を受け付けるための操作部や、ユーザに情報を提示するための表示部を含む操作受け付け手段である。外付けの操作部や表示部を用いてもよいことはもちろんである。ＵＩ部１４６は、後述の図６のカード種類選択画面（Ａ）や、無応答カード種別選択画面（Ｂ）をユーザに提供する。
【００２１】
次に、この発明の実施形態におけるＳＤカード１２及び無応答カード１３の基本的な動作について説明する。
図４は、ＳＤカード１２、無応答カード１３の基本的な動作を説明するための図である。
図４において、ＳＤホスト１４は、カードへのコマンド発行やデータ転送をＳＤインタフェース１５を介して行う。
一方、ＳＤカード１２は、ＳＤカード１２全体の制御を司るＳＤカードコントローラ１２０と、データを記憶するメモリコア１２１とを備えており、ＳＤカードコントローラ１２０が備えるＣＰＵ（不図示）が所定のプログラムを実行することによって、ＳＤカード１２の動作を制御する。
【００２２】
ＳＤカードコントローラ１２０は、ＳＤホスト１４が発行して送信したコマンドを認識・処理し、そのコマンドに対応する応答をＳＤインタフェース１５を介してＳＤホスト１４へ返すホスト制御部１２０１と、メモリコア１２１に対するアクセス制御を行なうメモリ制御部１２０２とを備えている。
【００２３】
一方、無応答カード１３は、無応答カード１３全体の制御を司る無応答カードコントローラ１３０と、データを記憶するメモリコア１３１とを備えており、無応答カードコントローラ１３０が備えるＣＰＵ（不図示）が所定のプログラムを実行することによって、無応答カード１３の動作を制御する。
上記無応答カードコントローラ１３０は、ＳＤホスト１４から送信されるコマンドを受信・認識するデータ受信部１３０１と、上記メモリコア１３１に対するアクセス制御を行うメモリ制御部１３０２とを備えている。
【００２４】
次に、電子装置１０がＳＤホスト１４として機能する場合の、ＳＤホスト１４の機能構成について図５を用いて説明する。
図５は、ＳＤホスト１４の機能構成を示すブロック図である。
図５において、ＳＤホスト１４は、無応答カード登録部２０１、カード検出部２０２、カード識別部２０３、クロック供給部２０４、電力供給部２０５及びコマンド送受信部２０６を備える。
【００２５】
このうち、無応答カード登録部２０１は、無応答カード１３を装着するユーザが予めその使用をＳＤホスト１４に登録する場合に、ユーザからの登録を受け付けて、無応答カード１３の種別を記憶する機能を備える。
無応答カード１３の場合、後述のように、ＳＤホスト１４から所定のコマンドを送信してもそれに対して応答しないため、ＳＤホスト１４は、装着された無応答カード１３の種別を認識することができない。そこで、予め、使用する無応答カード１３の種別を登録し、使用のフラグを立てて記憶しておくものである。
すなわち、無応答カード登録部２０１は、接続部（ＳＤカードスロット１１）に接続される外部装置（カード）が無応答装置（無応答カード）である場合に、その種別を登録可能な登録手段として機能する。
【００２６】
ここで、無応答カード登録部２０１における無応答カード１３の登録について、図６を参照しつつ説明する。
図６は、ＳＤホスト１４において、ユーザが使用する無応答カード１３の種別を登録するための選択画面の例を示すものであり、（Ａ）はカード種類を選択するための画面である。ユーザがカード種類選択画面２０において、ＳＤカードボタン２１を選択して、ＯＫボタン２３を押下するとＳＤカードが選択されるが、無応答カード登録部２０１には登録はされない。すなわち、この場合は、ＳＤホスト１４はＳＤカード１２が使用されると判断して次の処理（後述の図７のステップＳ１０３）に進む。
【００２７】
一方、ユーザがカード種類選択画面２０において、無応答カードボタン２２を選択して、ＯＫボタン２３を押下すると、（Ｂ）の無応答カード種別選択画面３０が表示される。
（Ｂ）図には、ＳＤカードスロット１１に適合する無応答カード１３の一覧３１が表示されており、ここに表示されている無応答カードの種別（無応答カードＡ、無応答カードＢ、無応答カードＣ，…）が使用可能であることを示している。
【００２８】
ユーザが、マウス等でカーソル３２を上下に移動させて、使用する無応答カードの種別を選択し、決定ボタン３３を押下すると、無応答カード登録部２０１は、使用する無応答カードの種別を決定して所定の記憶手段（例えばＨＤＤ１４５）に記憶し、無応答カードの使用のフラグを立てる。また、選択を取り消す場合は、解除ボタン３４を押下して、選択操作をやり直す。
なお、図６（Ａ）のカード種類選択画面２０は必須ではなく、（Ｂ）の無応答カード種別選択画面３０のみでもよい。ＳＤカード１２は、ＳＤホスト１４からのコマンドに対して応答信号を返すため、登録しておく必要がないからである。
【００２９】
図５に戻って、カード検出部２０２は、ＳＤカードスロット１１にカード１２又は１３が挿入（装着）されたことを検出する機能を備える。すなわち、接続部に外部装置が接続されたことを検出する検出手段として機能する。
カード検出部２０２としては、公知のＳＤカードスロットに設けられている「カード検出スイッチ」を利用することができる。例えば、株式会社ジャルコ社製ＳＤメモリカードコネクタ（YKF46-0013）等である。
【００３０】
カード識別部２０３は、ＳＤカード１２と無応答カード１３を識別したり、無応答カード１３の種別（無応答カードＡ、無応答カードＢ、無応答カードＣ、…）を識別する機能を備える。
すなわち、ＳＤホスト１４から送信した所定のコマンドに対する応答の有無によって、ＳＤカード１２と無応答カード１３を識別し、さらに、無応答の場合には、無応答カード登録部２０１の登録内容によって無応答カードの種別を識別する。
【００３１】
クロック供給部２０４は、ＳＤカードスロット１１に装着されたカードに対して、ＳＤインタフェース１５のＣＬＫを通して、駆動に必要なクロック信号を供給する機能を備える。クロック信号には、カードの種類を問わず、駆動に問題がない最大のクロック値を有する基本クロックと、カードの規格に適合した、そのカードの動作に最適なクロック値を持つクロック（以下「規格クロック」という。）がある。
【００３２】
電力供給部２０５は、ＳＤカードスロット１１に装着されたカードを動作させるため、ＳＤインタフェース１５のＶＣＣを通して、電力（例えば、２．７Ｖ  ２００ｍＡ）を供給する機能を備える。
クロック供給部２０４と電力供給部２０５が協働することにより、外部装置に対して所定の規格に適合した信号出力(電力及びクロック）を行う第１の出力手段及び第２の出力手段としての機能を実現する。
また、電力供給部２０５は、カード識別部２０３がコマンド送受信部２０６が送信したコマンドに対するカードからの応答信号を検出せず、かつ、無応答カード登録部２０１が無応答カードの種別登録を受け付けていなかった場合に、接続されたカードに対する電力供給を停止する停止手段として機能する。
【００３３】
コマンド送受信部２０６は、ＳＤカードスロット１１に装着されたカードに対して、ＳＤインタフェース１５のＣＭＤを通して、カードを制御するためのコマンドを送信したり、カードから送られた応答信号を受信したりする機能を備える。
電力供給部２０５とコマンド送受信部２０６が協働することにより、外部装置に対して電力を供給すると共に所定のコマンドを送信する送信手段としての機能を実現する。
【００３４】
次に、ＳＤホスト１４が行うカードの識別処理について説明する。
図７は、ＳＤカードスロット１１にカードが装着された場合に、ＳＤホスト１４のＣＰＵ１４１が実行する処理のフローチャートである。
この処理は、ユーザがＳＤカードスロット１１にカードを装着し、カード種類選択画面２０を起動し、ＳＤホスト１４のＣＰＵ１４１がそれを検知した時にスタートする。以下、カードの識別の処理の流れを、図７に基づいて説明する。
【００３５】
まず、ＣＰＵ１４１は、ユーザが使用する無応答カードの選択を受付けたか否かを判定し（Ｓ１０１）、受付けていないと判定すると（Ｓ１０１のＮ）、カードの検出を行う（Ｓ１０３）。
一方、無応答カードの選択を受付けた場合（Ｓ１０１のＹ）、次に、無応答カードの種別の選択を受付け、選択された無応答カードの種別を記憶し、使用のフラグを立てる（Ｓ１０２）。そして、カードの検出を行う（Ｓ１０３）。
【００３６】
次に、ＣＰＵ１４１は、装着されたカードを動作させるため、図２に示したＳＤインタフェース１５のＶＣＣを通して、電力供給を開始する（Ｓ１０４）。
次に、ＣＰＵ１４１は、ＳＤインタフェース１５のＣＬＫを通して基本クロックの供給を開始する（Ｓ１０５）。
次に、ＣＰＵ１４１は、ＳＤインタフェース１５のＣＭＤを通して、カード種類を識別するためコマンド（例えば、ＳＤカード識別用のＣＭＤ５５）を送信する（Ｓ１０６）。
ＳＤカード１２用のコマンド（ＣＭＤ５５）を送信するのは、それに対して応答があればＳＤカード１２であると識別できるからである。
【００３７】
カードからの応答があった場合（Ｓ１０７のＹ）は、ＣＰＵ１４１は、装着されたカードがＳＤカード１２であると判断し、ＳＤカード用の初期化を行う（Ｓ１０８）。すなわち、ＣＰＵ１４１は、Ｓ１０４で供給した電力を、ＳＤカードの規格にあった電力（電圧及び電流）に変更する。
そして、ＣＰＵ１４１は、Ｓ１０５で供給した基本クロックをＳＤカード用の規格クロックに変更し（Ｓ１０９）、カード識別処理を終了する。
【００３８】
一方、カードからの応答が無い場合（Ｓ１０７のＮ）、ＣＰＵ１４１は、無応答カード登録部２０１において、無応答カード使用のフラグが立っているか否かを検査する（Ｓ１１０）。
無応答カード使用のフラグが立っている場合（Ｓ１１０のＹ）、ＣＰＵ１４１は、無応答カード登録部２０１に登録されている無応答カードの種別を調べる（Ｓ１１１）。
【００３９】
この時、無応答カード登録部２０１に登録されているカードの種別が、「無応答カードＡ」である場合は、ＣＰＵ１４１は、装着されたカードに対して無応答カードＡ用の初期化を行う（Ｓ１１２）。すなわち、ＣＰＵ１４１は、Ｓ１０４で供給した電力を、無応答カードＡの規格にあった電力（電圧及び電流）に変更する。そして、ＣＰＵ１４１は、Ｓ１０５で供給した基本クロックを無応答カードＡ用の規格クロックに変更し（Ｓ１１３）、カード識別処理を終了する。
【００４０】
一方、ステップＳ１１１において、無応答カード登録部２０１に登録されているカードの種別が、「無応答カードＢ」である場合は、ＣＰＵ１４１は、装着されたカードに対して無応答カードＢ用の初期化を行う（Ｓ１１４）。すなわち、ＣＰＵ１４１は、Ｓ１０４で供給した電力を、無応答カードＢの規格にあった電力（電圧及び電流）に変更する。そして、ＣＰＵ１４１は、Ｓ１０５で供給した基本クロックを無応答カードＢ用の規格クロックに変更し（Ｓ１１５）、カード識別処理を終了する。
【００４１】
この処理によって、無応答カードであっても、確実に種別の識別が可能なため、その無応答カードに適したクロック周波数や電力を供給することができる。そのため、従来のように、無応答カードの種別を容易に識別できない場合と比較して無駄な消費電力を抑制できる効果がある。
【００４２】
なお、Ｓ１１１において識別される無応答カードの種別が、「無応答カードＡ」と「無応答カードＢ」の場合のみを挙げているが、これには限らず、図６（Ｂ）の無応答カード種別選択画面３０において選択可能な無応答カードであればよいことは言うまでもない。
【００４３】
これに対して、ステップＳ１１０において、無応答カード使用のフラグが立っていない場合は（Ｓ１１０のＮ）、ＳＤカードスロット１１に対応したカードではない（非対応カード）と判断し、電力とクロックの供給を停止し（Ｓ１１６）、処理を終了する。
通常、ＳＤカードスロット１１に対応したカードではない場合は、カードスロットに装着することができないので、非対応カードと判定される場合は少ないと考えられる。カード使用のフラグが立っていない理由として考えられるのは、故障したＳＤカードのため無応答になる場合や、無応答カードであるにもかかわらず、ユーザが使用の登録を怠った場合などである。
【００４４】
これによって無応答カードと非対応カードとを識別することが可能となる。
無応答カードか非対応カードかの識別を行わず、Ｓ１０７において応答がないカードをすべて無応答カードとして扱う制御にした場合、たとえば故障したカードを接続されたときでも、電力やクロックを供給することになる。ＳＤカードの供給電力は２．７Ｖ  ２００ｍＡであるため、この電力が、故障カードが装着されている間無駄に消費されてしまうことになる。Ｓ１１６の処理によって、このような無駄な電力の消費を防ぐことができるという効果がある。
【００４５】
以上、発明を実施するための実施の形態について説明を行ったが、本発明は、上述した実施の形態に限定されるものではない。装置の構成、データの構成、処理の具体的な手順などを、本発明の主旨を損なわない範囲で変更することが可能である。
これ以外でも、ＳＤホスト１４が備える上述の各機能を任意に複数の装置に分散して設け、これらの装置に協働してその機能を実現させることができる。
【００４６】
上記の実施形態においては、接続部がＳＤカードスロットである場合を例として説明したが、他の方式のカードスロットでもよく、また、カードスロットにも限られない。
また、本発明の外部装置は、無応答カードに限らず、電子装置の接続部に接続され得る外部装置に、電子装置から送信される信号に対して応答するものと、応答しないもの（無応答装置）とが混在する場合にも適用できることはいうまでもない。
さらに、この発明は上述した実施形態に限定されるものではなく、特許請求の範囲に記載された技術思想に含まれる技術的事項の全てが対象となることは言うまでもない。
さらにまた、以上説明してきた実施形態及び変形例の構成は、相互に矛盾しない限り任意に組み合わせて実施可能であることは勿論である。
【符号の説明】
【００４７】
１０：電子装置、１１：ＳＤカードスロット、１２：ＳＤカード、１３：無応答カード、１４：ＳＤホスト、１５：ＳＤインタフェース、１４１：ＣＰＵ、１４２：ＲＯＭ、１４３：ＲＡＭ、１４４：通信Ｉ／Ｆ、１４５：ＨＤＤ、１４６：ＵＩ部、２０１：無応答カード登録部、２０２：カード検出部、２０３：カード識別部、２０４：クロック供給部、２０５：電力供給部、２０６：コマンド送受信部
【先行技術文献】
【特許文献】
【００４８】
【特許文献１】特開２００３−２８１４７７号公報
【図１】
2015060266.tif 000003
【図２】
2015060266.tif 000004
【図３】
2015060266.tif 000005
【図４】
2015060266.tif 000006
【図５】
2015060266.tif 000007
【図６】
2015060266.tif 000008
【図７】
2015060266.tif 000009